(57)【要約】【課題】防音性を向上できる脚具を提供する。【解決手段】家具等の脚部２の下端部に取り付けられる取付部３の下側に、設置面に接触する底部４を設ける。底部４は、弾性を有する材料で形成した弾性部15を有し、この弾性部15が取付部３に接合される。また、弾性部15の下側の表面には、弾性部15に沿って設置面と接触するフェルト製の接地部16を設ける。そして、脚具１を脚部２に取り付けた状態の家具を設置すると、弾性部15が設置面の形状に対応するように弾性変形する。このような弾性部15の変形による振動吸収作用と、フェルト製の接地部16による滑り作用とによって、防音性を向上でき、例えば家具を引きずった際に発生する引きずり音等の騒音の発生を抑制できる。【選択図】図１
2016159033.tif 000002
【特許請求の範囲】
【請求項１】
脚部の下端部に取り付けられる取付部と、
取付部の下側に設けられ設置面に接触する底部とを具備し、
底部は、取付部に取り付けられ弾性を有する材料で形成された弾性部と、この弾性部の表面に設けられ設置面と接触するフェルト製の接地部とを有する
ことを特徴とする脚具。
【請求項２】
取付部は、脚部の下端部に嵌合可能な筒状の嵌合部と、この嵌合部の内側に設けられ弾性部が接合される接合部とを有する
ことを特徴とする請求項１記載の脚具。
【請求項３】
取付部は、接合部を上下方向に貫通した貫通孔を有する
ことを特徴とする請求項２記載の脚具。
【請求項４】
接合部は、嵌合部の内周に沿って内側へ突出した突出部と、この突出部から下側および内側へ突出した複数の爪部とを有する
ことを特徴とする請求項３記載の脚具。
【発明の詳細な説明】
【技術分野】
【０００１】
本発明は、脚部の下端部に取り付けられる脚具に関する。
【背景技術】
【０００２】
従来、この種の脚具としては、家具の脚部の下端部に嵌合するように取り付けられるキャップ状の構成（例えば、特許文献１参照。）や、家具の脚部の下端部に設けられた螺子孔部に螺合して取り付けられる構成（例えば、特許文献２参照。）が知られている。
【先行技術文献】
【特許文献】
【０００３】
【特許文献１】特開２０００−１２５９６３号公報
【特許文献２】特開２００７−２９６０７４号公報
【発明の概要】
【発明が解決しようとする課題】
【０００４】
しかしながら、特許文献１の構成では、家具の脚部の下端部にキャップ状に嵌合する簡単な構成であるため、例えば脚部を引きずるように家具を移動させた際等に、振動が伝わりやすく引きずり音が発生しやすい問題が考えられる。
【０００５】
また、特許文献２の構成では、家具の脚部の螺子孔部に螺合する螺合部等に金属が使用されるのが一般的であるため、例えば脚部を引きずるように家具を移動させた際等に、金属製の箇所に振動が伝わって、金属製の箇所同士の接触音や引きずり音が発生しやすい問題が考えられる。
【０００６】
そこで、例えば脚部を引きずるように移動させた際等に、接触音や引きずり音が発生しにくい防音性に優れた脚具が求められていた。
【０００７】
本発明はこのような点に鑑みなされたもので、防音性を向上できる脚具を提供することを目的とする。
【課題を解決するための手段】
【０００８】
請求項１に記載された脚具は、脚部の下端部に取り付けられる取付部と、取付部の下側に設けられ設置面に接触する底部とを具備し、底部は、取付部に取り付けられ弾性を有する材料で形成された弾性部と、この弾性部の表面に設けられ設置面と接触するフェルト製の接地部とを有するものである。
【０００９】
請求項２に記載された脚具は、請求項１記載の脚具において、取付部は、脚部の下端部に嵌合可能な筒状の嵌合部と、この嵌合部の内側に設けられ弾性部が接合される接合部とを有するものである。
【００１０】
請求項３に記載された脚具は、請求項２記載の脚具において、取付部は、接合部を上下方向に貫通した貫通孔を有するものである。
【００１１】
請求項４に記載された脚具は、請求項３記載の脚具において、接合部は、嵌合部の内周に沿って内側へ突出した突出部と、この突出部から下側および内側へ突出した複数の爪部とを有するものである。
【発明の効果】
【００１２】
本発明によれば、底部が弾性部とフェルト製の接地部とを有するため、弾性部の弾性変形による振動吸収作用により、防音性を向上できる。
【図面の簡単な説明】
【００１３】
【図１】本発明の第１の実施の形態に係る脚具の構成を示す断面図である。
【図２】本発明の第１の実施の形態の変形例を示す部分断面図である。
【図３】本発明の第２の実施の形態に係る脚具の構成を示す断面図である。
【図４】同上第２の実施の形態に係る脚具の接合部の構成を示す平面図である。
【図５】本発明の第３の実施の形態に係る脚具の構成を示す断面図である。
【図６】同上第３の実施の形態に係る脚具の接合部の構成を示す平面図である。
【図７】本発明の第４の実施の形態に係る脚具の構成を示す断面図である。
【発明を実施するための形態】
【００１４】
以下、本発明の第１の実施の形態の構成について図１を参照しながら詳細に説明する。
【００１５】
図１において、１は脚具であり、この脚具１は、例えば椅子や机等の家具におけるパイプ状の脚部２の下端部に取り付けられる。
【００１６】
脚具１は、脚部２の下端部の外側に嵌合して取り付けられる合成樹脂製の取付部３を有し、この取付部３の下側に、この取付部３とは異なる素材の底部４が設けられている。そして、脚具１は、取付部３が家具の脚部２に取り付けられて、底部４が例えば床面等の家具の設置面に接触する。
【００１７】
取付部３は、脚部２の下端部に嵌合可能な円筒状の嵌合部11の下端部から径方向の内側へ突出した接合部12が、嵌合部11の内周に沿って連続して設けられ、脚部２の下端部が接合部12の上面に当接する。
【００１８】
また、接合部12の先端部には、接合部12の突出方向に対して傾斜状に成形された傾斜部13が設けられている。
【００１９】
接合部12の内側で嵌合部11の下端部の中央には、接合部12を嵌合部11の軸方向である上下方向に貫通するように形成された貫通孔14が設けられている。
【００２０】
底部４は、弾性を有する樹脂、例えばエラストマー樹脂で弾性変形可能な弾性部15が形成されている。この弾性部15は、下側へ円弧状に膨出するように成形されている。また、弾性部15の膨出した下側表面に、この下側表面に沿って設置面に接触するフェルト製の面状の接地部16が接着されている。
【００２１】
そして、接合部12と弾性部15とが接触して弾性部15が接合部12に引っ掛かるように接合されることにより、弾性部15が取付部３に対して一体的に取り付けられる。
【００２２】
次に、脚具１の製造方法について説明する。
【００２３】
脚具１を製造する際には、まず、例えば所定の金型を用いた射出成形で取付部３を成形する。
【００２４】
また、別の金型を用いて、取付部３の下端部に弾性部15を射出成形で成形することにより、取付部３の接合部12に弾性部15が引っ掛かるように接合されるとともに、弾性部15の円弧状の下側表面に接地部16を接着する。
【００２５】
次に、上記第１の実施の形態の作用および効果を説明する。
【００２６】
上記脚具１によれば、底部４が、弾性を有する弾性部15とフェルト製の接地部16とを有するため、脚部２に脚具１が取り付けられた状態の家具を設置した際に、設置面の形状に対応するように弾性部15が弾性変形する。このような弾性部15の弾性変形による振動吸収作用と、フェルト製の接地部16による滑性作用との相乗効果により、例えば家具を引きずった場合でも、フェルト製の接地部16が設置面に対して滑りやすく振動が低減されるとともに、その振動や衝撃が弾性部15に吸収されるため、防音性を向上でき、引きずり音等の騒音を発生しにくくできる。
【００２７】
また、弾性部15が弾性を有するため、脚具１が取り付けられた家具等の使用における衝撃を弾性部15で吸収して緩和でき、取付部３および接地部16の耐久性や、脚具１全体としての耐久性や、脚具１が取り付けられた脚部２の耐久性を向上できる。
【００２８】
さらに、弾性部15が設置面の形状に応じて変形するため、例えば従来の変形しない構成に比べて接地部16と設置面との接触面積が大きくなり、家具を引きずった際等の接地部16における摩擦力が分散されるとともに、フェルトが滑りやすいため、接地部16の磨耗を抑制できる。
【００２９】
取付部３は、嵌合部11から内側へ突出した接合部12を有するため、取付部３に対する弾性部15の接触面積を大きくでき、取付部３に対する底部４の接合強度を向上できる。
【００３０】
取付部３は、接合部12の中央に貫通孔14を有するため、弾性部15が貫通孔14を介して嵌合部11内へ向かって弾性変形でき、貫通孔14がない構成に比べて弾性部15の変形が阻害されにくい。すなわち、弾性部15の変形による振動吸収作用や磨耗防止作用を確保しやすい。
【００３１】
なお、上記第１の実施の形態では、脚具１は、家具の脚部２に取り付けられる構成としたが、取付対象は家具に限定されず、脚部２を有するものであれば取付可能である。
【００３２】
また、脚具１は、パイプ状の脚部２の外側に嵌合されて取り付けられる構成としたが、このような構成には限定されない。
【００３３】
すなわち、図２に示す変形例のように、脚具１は、円筒状の嵌合部18がパイプ状の脚部２の内側に挿入されるように嵌合して取り付けられる構成等にしてもよい。
【００３４】
さらに、脚具１が取り付けられる脚部２の形状は、円形のパイプ状に限定されず、例えば棒状、板状、木製丸形状、木製角形状、角パイプ、楕円パイプおよび傾斜脚等の構成にも適宜適用できる。
【００３５】
取付部３は、脚部２に嵌合されて取り付けられる構成としたが、このような構成には限定されず、脚部２に対する取付部３の取付方法は適宜選択でき、例えば脚部２の下端部に螺合して取り付ける構成等にも適用できる。
【００３６】
また、取付部３は、嵌合部11の下端部から内側に突出した接合部12が設けられた構成としたが、このような構成には限定されず、接合部12が設けられていない構成にしてもよい。
【００３７】
接合部12が設けられた構成の場合には、接合部12の形状は、接合部12と弾性部15との接合強度や、弾性部15の変形による振動吸収作用等を考慮して、適宜設計できる。
【００３８】
次に、第２の実施の形態を図３および図４を参照して説明する。なお、上記第１の実施の形態と同一の構成及び作用については、同一符号を付してその説明を省略する。
【００３９】
この第２の実施の形態では、図３および図４に示すように、接合部21は、嵌合部11の下端部から径方向の内側へ突出するように内周に沿って連続して設けられた突出部22と、この突出部22に一体に設けられた複数、例えば６つの爪部23とを有している。
【００４０】
爪部23は、突出部22から下側および内側へ突出した形状、すなわち、突出部22から下方へ段差状に形成されている。また、各爪部23は、突出部22に沿って互いに離間して配置されている。
【００４１】
さらに、突出部22の内側および各爪部23の間には貫通孔24が設けられている。
【００４２】
そして、接合部21が突出部22および爪部23を有することにより、接合部21と弾性部15との接触面積が大きくなり、底部４を成形する際には、弾性部15が接合部21に引っ掛かって噛み込んだ状態で接合されるため、底部４の接合強度を向上できる。
【００４３】
また、貫通孔24が爪部23によって閉塞されないため、弾性部15が貫通孔24を介して嵌合部11側へ向かって弾性変形しやすく、接合部21によって弾性部15の弾性変形による衝撃吸収作用が阻害されにくい。
【００４４】
次に、第３の実施の形態を図５および図６を参照して説明する。なお、上記実施の形態と同一の構成及び作用については、同一符号を付してその説明を省略する。
【００４５】
この第３の実施の形態では、図５および図６に示すように、接合部31は、嵌合部11の下端部から内周に沿って連続して内側へ突出した突出片32から内側へ向かってのびる複数の突出片32が設けられている。
【００４６】
複数の突出片32は、突出片32から内側へ互いに交差する方向にのび、これら複数の突出片32の先端部には、リング状の接続片33に接続されている。すなわち、複数の突出片32は、接続片33から放射状に配置されている。
【００４７】
また、複数の突出片32同士の間、および、接続片33の内側には、貫通孔34，35が設けられている。
【００４８】
そして、接合部31がこのようにいわゆるスポーク状に構成されることにより、接合部31と弾性部15との接触面積が大きくなり、底部４を成形する際に弾性部15が接合部31に絡まるように接合されて、底部４の接合強度を向上できる。
【００４９】
また、上記第１の実施の形態および上記第２の実施の形態に比べて貫通孔34，35の開口面積が小さくなり弾性部15が変形しにくくなるものの、弾性部15が貫通孔34，35を介して嵌合部11内へ向かって弾性変形できるため、弾性部15の変形による振動吸収作用を奏することができる。
【００５０】
次に、第４の実施の形態を図７を参照して説明する。なお、上記実施の形態と同一の構成及び作用については、同一符号を付してその説明を省略する。
【００５１】
この第４の実施の形態では、図７に示すように、接合部41によって嵌合部11の下端部が閉塞されている。
【００５２】
そして、嵌合部11の下端部が接合部41で閉塞された構成では、上記各実施の形態に比べて、接合部41と弾性部15との接触面積が大きくなり、底部４の接合強度を向上できる。
【００５３】
また、接合部41により嵌合部11内への弾性部15の変形を制御でき、設置した際の安定性を向上できる。
【符号の説明】
【００５４】
１    脚具
２    脚部
３    取付部
４    底部
11    嵌合部
12    接合部
14    貫通孔
15    弾性部
16    接地部
18    嵌合部
21    接合部
22    突出部
23    爪部
24    貫通孔
31    接合部
34    貫通孔
35    貫通孔
41    接合部
【図１】
2016159033.tif 000003
【図２】
2016159033.tif 000004
【図３】
2016159033.tif 000005
【図４】
2016159033.tif 000006
【図５】
2016159033.tif 000007
【図６】
2016159033.tif 000008
【図７】
2016159033.tif 000009